(57)【要約】  【課題】  冷却性能の向上及び省電力化を図ることのできる冷蔵庫を提供する。  【解決手段】  本体低部の後方に設けられた機械室２の前方に前面に開口した開口部１２を有するダクト１０を設け、ダクト１９内に第１凝縮器２０を配置するとともに機械室２内に圧縮機７及び第２凝縮器６を配置する。ダクト１０と機械室２を連通口１９の近傍には外気を取り入れる後部吸気口１９が設けられる。送風機９の駆動によって開口部１２からダクト１０内に流入する空気により第１凝縮器２０が冷却され、第１凝縮器２０と熱交換した空気と後部吸気口１９から取り入れられた空気が連通口１９を介して機械室２に流入する。これにより、圧縮機７及び第２凝縮器６が冷却される。【選択図】      図１
2005221189.tif 000002
【特許請求の範囲】
【請求項１】
本体低部の後方に設けられて排気口を有する機械室と、前記機械室に配される圧縮機と、前記機械室の前方に配されて前面に開口した開口部を有するとともに連通口を介して前記機械室に連通するダクトと、前記圧縮機に接続して冷媒を凝縮するとともに前記ダクト内に配される第１凝縮器と、前記開口部から外気を取り込んで前記連通口を介して前記排気口から排気する送風機と、前記連通口に近接した前記ダクトの後部に配されて外気を取り入れる後部吸気口とを備えたことを特徴とする冷蔵庫。
【請求項２】
前記圧縮機に接続して冷媒を凝縮するとともに前記機械室内に配される第２凝縮器を備えたことを特徴とする請求項１に記載の冷蔵庫。
【請求項３】
前記ダクトの一部を前記機械室の側方に延長し、前記ダクト及び前記機械室の背面を形成する背面板の側端部を折曲して形成した傾斜面に前記後部吸気口を設けたことを特徴とする請求項１または請求項２に記載の冷蔵庫。
【請求項４】
ドレン水を貯溜する蒸発皿を前記機械室に配置したことを特徴とする請求項１〜請求項３のいずれかに記載の冷蔵庫。
【請求項５】
上方から見て前記連通口を一方の側部に配置し、他方の側部の前記ダクト内に前記機械室に隣接して配置されるとともに外気を取り入れる側部吸気口を設けたことを特徴とする請求項１〜請求項４のいずれかに記載の冷蔵庫。
【請求項６】
前記圧縮機に接続して冷媒を凝縮するとともに前記機械室内に配される第２凝縮器と、ドレン水を貯溜する蒸発皿とを備え、前記蒸発皿を前記機械室に配置するとともに第２凝縮器を前記蒸発皿の上方に設置したことを特徴とする請求項１に記載の冷蔵庫。
【請求項７】
前記蒸発皿を前記圧縮機の上方に配置し、前記送風機を傾斜して吹出方向を第２凝縮器に向けたことを特徴とする請求項６記載の冷蔵庫。
【請求項８】
冷蔵庫本体からドレン水を前記蒸発皿に導くドレンホースを有し、ドレン水を吐出する前記ドレンホースの吐出口を第２凝縮器の上方に配置するとともに前記吐出口から落下するドレン水が通過する空間部を第２凝縮器に設けたことを特徴とする請求項６または請求項７記載の冷蔵庫。
【発明の詳細な説明】
【技術分野】
【０００１】
本発明は、本体底部に凝縮器及び圧縮機を備えた冷蔵庫に関する。
【背景技術】
【０００２】
本体底部に凝縮器及び圧縮機を備えた従来の冷蔵庫は特許文献１に開示されている。図８はこの冷蔵庫の底部を示す上面図である。冷蔵庫１は本体底部が仕切壁５により前後に分割され、前方にダクト１０が設けられて後方に機械室２が設けられる。機械室２は背面側を背面板１８で覆われ、背面板１８には排気口１７が設けられる。機械室２内には冷凍サイクルを運転する圧縮機７が配されている。
【０００３】
ダクト１０は前面に開口する開口部１２を有し、圧縮機７に接続して冷媒を凝縮する凝縮器２０が配されている。仕切壁５は左側が後方に屈曲し、前後に延びた部分にダクト１０と機械室２とを連通させる連通口１９が形成されている。連通口１９には送風機９が配される。ダクト１０の右側の側部には底板に開口する側部吸気口１４が形成されている。
【０００４】
また、ダクト１０の後部には蒸発皿８が配される。蒸発皿８は冷蔵庫１の除霜等によるドレン水を貯溜し、圧縮機７や凝縮器２０の放熱によってドレン水が蒸発されるようになっている。
【０００５】
上記構成の冷蔵庫１において、送風機９が駆動されると開口部１２から外気がダクト１０内に取り入れられ、連通口１９を介して排気口１７から排気される。これにより、冷凍サイクルの高温側となる凝縮器２０及び圧縮機７を冷却して放熱する。また、仕切壁５によってダクト１０の右側部には外気が流通しにくいため、側部吸気口１４からダクト１０内に取り込まれる外気により凝縮器２の右側の冷却が行われる。
【特許文献１】特開２０００−３１０４７３号公報（第２頁−第４頁、第３図）
【発明の開示】
【発明が解決しようとする課題】
【０００６】
しかしながら、上記従来の冷蔵庫によると、圧縮機７を冷却する空気は凝縮器２０と熱交換して高温になっており、充分な放熱ができない。このため、冷却性能が低下する問題や消費電力が大きくなる問題があった。
【０００７】
本発明は、冷却性能の向上及び省電力化を図ることのできる冷蔵庫を提供することを目的とする。
【課題を解決するための手段】
【０００８】
上記目的を達成するために本発明は、本体低部の後方に設けられて排気口を有する機械室と、前記機械室に配される圧縮機と、前記機械室の前方に配されて前面に開口した開口部を有するとともに連通口を介して前記機械室に連通するダクトと、前記圧縮機に接続して冷媒を凝縮するとともに前記ダクト内に配される第１凝縮器と、前記開口部から外気を取り込んで前記連通口を介して前記排気口から排気する送風機と、前記連通口に近接した前記ダクトの後部に配されて外気を取り入れる後部吸気口とを備えたことを特徴としている。
【０００９】
この構成によると、圧縮機の駆動により冷凍サイクルが運転され、圧縮機及び第１凝縮器が高温側となる。送風機を駆動すると、前面の開口部及び後部の後部吸気口から外気がダクト内に取り込まれる。開口部から取り込まれた空気は第１凝縮器を冷却し、後部吸気口から取り込まれた空気と合流して降温される。降温した空気は連通口を介して機械室に流入し、圧縮機を冷却して排気口から排気される。
【００１０】
また本発明は、上記構成の冷蔵庫において、前記圧縮機に接続して冷媒を凝縮するとともに前記機械室内に配される第２凝縮器を備えたことを特徴としている。この構成によると、冷凍サイクルの運転により高温側となる第２凝縮器は、第１凝縮器と熱交換した空気が後部吸気口から取り込まれた空気と合流し、降温された空気により冷却される。
【００１１】
また本発明は、上記構成の冷蔵庫において、前記ダクトの一部を前記機械室の側方に延長し、前記ダクト及び前記機械室の背面を形成する背面板の側端部を折曲して形成した傾斜面に前記後部吸気口を設けたことを特徴としている。
【００１２】
また本発明は、上記構成の冷蔵庫において、ドレン水を貯溜する蒸発皿を前記機械室に配置したことを特徴としている。この構成によると、除霜や結露によるドレン水が蒸発皿に貯溜され、圧縮機或いは第２凝縮器の放熱によって蒸発して排気口から排気される。
【００１３】
また本発明は、上記構成の冷蔵庫において、上方から見て前記連通口を一方の側部に配置し、他方の側部の前記ダクト内に前記機械室に隣接して配置されるとともに外気を取り入れる側部吸気口を設けたことを特徴としている。この構成によると、送風機の駆動によりダクトの例えば右側に設けた側部吸気口から外気が取り込まれ、左側に配された連通口から機械室に流入する。機械室に隣接した第１凝縮器の右側は側部吸気口から取り入れられた空気により冷却される。
【００１４】
また本発明は、上記構成の冷蔵庫において、前記圧縮機に接続して冷媒を凝縮するとともに前記機械室内に配される第２凝縮器と、ドレン水を貯溜する蒸発皿とを備え、前記蒸発皿を前記機械室に配置するとともに第２凝縮器を前記蒸発皿の上方に設置したことを特徴としている。この構成によると、除霜や結露によるドレン水が蒸発皿に貯溜され、圧縮機或いは第２凝縮器の放熱により蒸発して排気口から排気される。
【００１５】
また本発明は、上記構成の冷蔵庫において、前記蒸発皿を前記圧縮機の上方に配置し、前記送風機を傾斜して吹出方向を第２凝縮器に向けたことを特徴としている。この構成によると、蒸発皿に貯溜されたドレン水は上方の第２凝縮器及び下方の圧縮機の放熱によって蒸発する。また送風機の吹出方向が上方に向けて傾斜され、第２凝縮器及び蒸発皿の水面に送風される。
【００１６】
また本発明は、上記構成の冷蔵庫において、冷蔵庫本体からドレン水を前記蒸発皿に導くドレンホースを有し、ドレン水を吐出する前記ドレンホースの吐出口を第２凝縮器の上方に配置するとともに前記吐出口から落下するドレン水が通過する空間部を第２凝縮器に設けたことを特徴としている。この構成によると、除霜や結露によるドレン水はドレンホースを流通して吐出口から落下し、空間部を通過して蒸発皿に貯溜される。
【発明の効果】
【００１７】
本発明によると、ダクトと機械室を連通する連通口に近接したダクトの後部に後部吸気口を設けたので、後部吸気口から取り入れた空気によって機械室に配される圧縮機を冷却する空気が降温される。従って、低温の空気により冷却される圧縮機の放熱効率が向上して冷蔵庫の冷却性能の向上及び省電力化を図ることができる。
【００１８】
また本発明によると、第２凝縮器を機械室内に設けたので、後部吸気口から取り入れた空気によって降温された空気が第２凝縮器を冷却する。従って、第１、第２凝縮器全体の放熱効率向上による凝縮効率が向上して冷蔵庫の冷却性能の向上及び省電力化をより図ることができる。
【００１９】
また本発明によると、ダクト及び機械室の背面を形成する背面板の側端部を折曲した傾斜面に後部吸気口を設けたので、居室の壁面が冷蔵庫の後方や側方に近接しても後部吸気口から確実に外気を取り込むことができる。
【００２０】
また本発明によると、蒸発皿を圧縮機或いは第２凝縮器の放熱によって高温となる機械室内に配置したので、ドレン水を効率よく蒸発させて蒸発皿の漏水を防止することができる。
【００２１】
また本発明によると、連通口を一方の側部に配置して側部吸気口を機械室に隣接して他方の側部に配置したので、機械室に隣接したダクト後部の第１凝縮器を充分冷却することができる。
【００２２】
また本発明によると、第２凝縮器を蒸発皿の上方に設置したので、第２凝縮器から蒸発皿に貯溜されたドレン水の水面に放熱され、ドレン水を効率よく蒸発させることができる。
【００２３】
また本発明によると、蒸発皿を圧縮機の上方に配置し、送風機を傾斜して吐出し方向を第２凝縮器に向けたので、蒸発皿に貯溜されるドレン水は圧縮機及び第２凝縮器の放熱により上下から昇温され、より蒸発を促進することができる。また、送風機から上方に送風されるため第２凝縮器をより効率よく冷却できるとともにドレン水の水面上の風量が増加して蒸発をより促進できる。
【００２４】
また本発明によると、ドレンホースの吐出口から落下するドレン水が通過する空間部を第２凝縮器に設けたので、第２凝縮器の下方に配される蒸発皿に容易にドレン水を排出できるとともに、高温となる第２凝縮器とドレンホースとの接触によるドレンホースの劣化を防止することができる。
【発明を実施するための最良の形態】
【００２５】
以下に本発明の実施形態を図面を参照して説明する。説明の便宜上、前述の図８に示す従来例と同一の部分は同一の符号を付している。図１、図２は一実施形態の冷蔵庫の低部を示す上面図及び側面断面図である。冷蔵庫１は本体底部が仕切壁５により前後に分割され、前面に開口する開口部１２を有したダクト１０が前方に配されて機械室２が後方に配される。仕切壁５は左側が後方に屈曲し、ダクト１０が機械室２の左側に後方に延びて設けられる。
【００２６】
ダクト１０及び機械室２の背面側は背面板１８で覆われる。図３は背面板を示す正面図である。背面板１８は左右の両側部が折曲され、傾斜した傾斜面１８ａ、１８ｂが形成されている。左方の傾斜面１８ａには外気をダクト１０内に取り込む後部吸気口１６が設けられる。背面板１８の略中央よりも右側と右方の傾斜面１８ｂには機械室２を流通する空気を排気する排気口１７が設けられている。傾斜面１８ａ、１８ｂに後部吸気口１６及び排気口１７を設けることにより、居室の壁面が冷蔵庫１の後方や側方に近接しても確実に吸排気できるようになっている。
【００２７】
機械室２内には冷凍サイクルを運転する圧縮機７が配されている。圧縮機７にはダクト１０内に配される凝縮器２０（第１凝縮器）及び機械室２内に配される補助凝縮器６（第２凝縮器）が接続される。凝縮器２０及び補助凝縮器６は冷凍サイクルの運転によって空気との熱交換により冷媒を凝縮する。
【００２８】
機械室２内の圧縮機７の上方には蒸発皿８が配される。蒸発皿８は冷蔵庫１の除霜や結露等によるドレン水を貯溜する。冷凍サイクルの高温側となる圧縮機７や補助凝縮器６に蒸発皿８を近設することにより、圧縮機７や補助凝縮器６の放熱によってドレン水が効率よく蒸発される。従って、蒸発皿８の漏水を防止することができる。
【００２９】
仕切壁５は左側が後方に屈曲し、前後に延びた部分にダクト１０と機械室２とを連通させる連通口１９が形成されている。連通口１９には送風機９が配され、ダクト１０の左後方に配された後部吸気口１６が連通口１９に近接する。ダクト１０の右側には底板１１に開口するとともに仕切壁５に隣接した側部吸気口１４が形成されている。
【００３０】
上記構成の冷蔵庫１において、送風機９が駆動されると開口部１２、側部吸気口１４及び後部吸気口１６から外気がダクト１０内に取り入れられる。ダクト１０内に取り入れられた外気は矢印に示すように連通口１９を介して機械室２に流入し、排気口１７から排気される。
【００３１】
開口部１２から取り入れられた外気はダクト１０内を前後に流通して冷凍サイクルの高温側となる凝縮器２０を冷却し、連通口１９の配される左方に導かれる。仕切壁５に隣接して右側に配された側部吸気口１４から取り入れられた外気は凝縮器２０の右側後部を冷却し、連通口１９の配される左方に導かれる。これにより、仕切壁５によって開口部１２から取り入れられた外気との接触が困難な凝縮器２０の右側後部が充分冷却され、凝縮器２０の放熱効率を向上することができる。
【００３２】
また、連通口１９に近接するダクト１０後方の後部吸気口１６から取り入れられた外気は凝縮器２０と熱交換した空気と合流し、機械室２内に流入して補助凝縮器６及び圧縮機７を冷却する。この時、凝縮器２０と熱交換した空気を後部吸気口１６から取り入れた外気により降温して補助凝縮器６及び圧縮機７が冷却される。従って、圧縮機７の放熱効率を向上して冷蔵庫１の冷却性能の向上及び省電力化を図ることができる。
【００３３】
また、冷媒の凝縮手段が凝縮器２０及び補助凝縮器６に分割され、機械室２に配置された補助凝縮器６が降温された空気により冷却される。このため、凝縮手段全体の放熱効率向上による凝縮効率の向上によって冷蔵庫１の冷却性能の向上及び省電力化をより図ることができる。
【００３４】
次に、図４〜図６は第２実施形態の冷蔵庫の底部を示す上面図、側面断面図及び背面図である。説明の便宜上、前述の図１〜図３に示す第１実施形態と同一の部分は同一の符号を付している。本実施形態は、機械室２に配される圧縮機７の上方に蒸発皿８を配置し、蒸発皿８の上方に補助凝縮器６（第２凝縮器）が配置されている。送風機１９は傾斜して設置され、吹出方向が補助凝縮器６の方向に向けられている。
【００３５】
また、ドレン水を蒸発皿８に導くドレンホース３は機械室２の天面に設置され、吐出口３ａが補助凝縮器６の上方に配置されている。図７の平面図に示すように、補助凝縮器６には吐出口３ａから落下するドレン水を通過させる空間部４が設けられている。これにより、高温となる補助凝縮器６とドレンホース３との接触によるドレンホース３の劣化を防止することができる。その他の部分は第１実施形態と同様である。
【００３６】
本実施形態によると、蒸発皿８に貯溜されたドレン水の水面に向けて上方に配される補助凝縮器６から放熱される。このため、ドレン水の蒸発が促進される。また、蒸発皿８の上下に補助凝縮器６及び圧縮機７が配されるため、蒸発皿８は上下から熱を受けてより蒸発が促進される。更に、送風機９の吹出方向を補助凝縮器６に向けて傾斜しているので、補助凝縮器６をより効率よく冷却できるとともにドレン水の水面上の風量が増加し、蒸発をより促進できる。
【図面の簡単な説明】
【００３７】
【図１】本発明の第１実施形態の冷蔵庫の下部を示す上面図
【図２】本発明の第１実施形態の冷蔵庫の下部を示す側面断面図
【図３】本発明の第１実施形態の冷蔵庫の背面板を示す正面図
【図４】本発明の第２実施形態の冷蔵庫の下部を示す上面図
【図５】本発明の第２実施形態の冷蔵庫の下部を示す側面断面図
【図６】本発明の第２実施形態の冷蔵庫の下部を示す背面図
【図７】本発明の第２実施形態の冷蔵庫の第２凝縮器を示す平面図
【図８】従来の冷蔵庫の下部を示す上面図
【符号の説明】
【００３８】
１    冷蔵庫
２    機械室
３    ドレンホース
３ａ  吐出口
４    空間部
５    仕切壁
６    補助凝縮器（第２凝縮器）
７    圧縮機
８    蒸発皿
９    送風機
１０    ダクト
１１    底板
１２    開口部
１４    側部吸気口
１６    後部吸気口
１７    排気口
１８    背面板
２０    凝縮器（第１凝縮器）
【図１】
2005221189.tif 000003
【図２】
2005221189.tif 000004
【図３】
2005221189.tif 000005
【図４】
2005221189.tif 000006
【図５】
2005221189.tif 000007
【図６】
2005221189.tif 000008
【図７】
2005221189.tif 000009
【図８】
2005221189.tif 000010